(57)【要約】【課題】  本発明の目的は、定着フランジとの摺擦による定着スリーブ端部の亀裂発生を防止し、定着装置の更なる長寿命化を図ることである。【解決手段】  定着スリーブ２１と、定着スリーブ２１を案内するヒータホルダ２３と、ヒータホルダ２３に対して前記定着スリーブ２１を介して記録材を挟持搬送するニップ部Ｎを形成する加圧ローラ２４と、定着スリーブ２１の内面に接触し設定温度を維持するように制御され前記ニップ部Ｎ内を搬送される記録材を加熱するヒータ２２と、を有する加熱定着装置２０において、前記定着スリーブ２１は少なくともフィルム状のＳＵＳベルト部２１ｂ上にシリコーンゴム部２１ａを形成してなり、前記定着スリーブ２１の軸方向端部のうちの少なくとも一端部は前記シリコーンゴム部２１ａが前記ＳＵＳベルト部２１ｂよりも軸方向に突出していることを特徴とする。【選択図】    図１
2005158639.tif 000002
【特許請求の範囲】
【請求項１】
フィルム状の回転体と、前記回転体を案内するガイド部材と、前記ガイド部材に対して前記回転体を介して記録材を挟持搬送するニップ部を形成するバックアップ部材と、前記回転体の内面に接触し設定温度を維持するように制御され前記ニップ部内を搬送される記録材を加熱する加熱手段と、を有する加熱装置において、
前記回転体は少なくともフィルム状の金属層上に弾性層を形成してなり、前記回転体の軸方向端部のうちの少なくとも一端部は前記弾性層が前記金属層よりも軸方向に突出していることを特徴とする加熱装置。
【請求項２】
前記回転体の軸方向端部は、回転自在に支持された規制部材によって規制されることを特徴とする請求項１に記載の加熱装置。
【請求項３】
記録材に像を形成する画像形成装置において、記録材上に転写された像を加熱定着する定着装置として、請求項１又は請求項２に記載の加熱装置を備えていることを特徴とする画像形成装置。
【発明の詳細な説明】
【技術分野】
【０００１】
本発明は、ガイド部材に案内されるフィルム状の回転体とバックアップ部材との間に形成されるニップ部で記録材を挟持搬送して該記録材を加熱する加熱装置、および該加熱装置を像を加熱定着する加熱定着装置として備えた画像形成装置に関する。
【背景技術】
【０００２】
電子写真複写機やプリンタ等の画像形成装置において、電子写真プロセス等の適宜の画像形成プロセス手段で普通紙等の記録材に間接（転写）あるいは直接に形成担持させた未定着トナー画像を記録材面に永久固着画像として加熱定着させる定着装置としては、従来より熱ローラ方式の加熱定着装置が広く用いられている。
【０００３】
近年では、クイックスタートや省エネルギーの観点からフィルム加熱方式の定着装置が実用化されている。例えば特開平２００２−２３１４１９号公報や特開平２００２−３２３８２１号公報に記載のように、定着フィルム（フィルム状の回転体）として、ＳＵＳやニッケル等の金属フィルムを用いた定着装置が知られ、更にはこの金属フィルム上に弾性層を設けたものを用いた定着装置が提案されている。
【０００４】
この金属製薄肉フィルム（以下、定着スリーブと称す）を用いた定着装置においては、定着スリーブを繰り返し回転状態で使用することにより、該定着スリーブ端部に亀裂が生じ、破壊に至る、という問題点があった。これは定着スリーブ自体の剛性は高いものの、定着スリーブ製造工程において、定着スリーブを定着装置に適切な長さに切断するに際し、定着スリーブ端部にバリや微小なクラックが生じ、定着スリーブ端部が摺擦した際に、こうしたバリやクラックを起点として前述の亀裂が生じていた。
【０００５】
こうした定着スリーブ端部の亀裂を防止するために、特開平２００２−２３１４１９号公報においては、定着スリーブ端部を支持する定着フランジを、定着スリーブ外周面から支持する構造とし、定着スリーブと共に回転する構成とすることで、該定着スリーブ端部と定着装置の摺擦を防止する構成が開示されている。
【０００６】
【特許文献１】特開２００２−２３１４１９号
【特許文献２】特開２００２−３２３８２１号
【発明の開示】
【発明が解決しようとする課題】
【０００７】
しかしながら、上記従来例では、定着フランジはモータ等の駆動手段を用いて積極的に回転駆動力が付与されているわけではなく、あくまでも回転する定着スリーブとの接触部における摩擦力によって該定着スリーブと共に回転する構成であるため、定着フランジを回転自在に支持する部分の摺動抵抗が大きい場合には、定着フランジが定着スリーブと共に回転せず、定着スリーブ端面が定着フランジと摺擦してしまうことがあった。
【０００８】
例えば、前記定着スリーブに当接してニップ部を形成する加圧ローラの軸方向（長手方向）左右の圧バランスが均一でない場合等には、定着スリーブに長手方向一方へ寄ろうとする寄り力が作用（発生）し、該定着スリーブ端部が一方の定着フランジを前記寄り力の作用方向に押し付けることになる。その結果、定着フランジがその支持部と圧接されて、この圧接部が大きな摺動抵抗となる。この摺動抵抗が定着スリーブと定着フランジとの接触部における摩擦力よりも大きい場合にも、定着フランジが定着スリーブと共に回転せずに、定着スリーブ端部が定着フランジと摺擦することになる。この時、定着スリーブ端部は定着フランジとの摺擦により、定着スリーブ（金属フィルム）端部がストレスを受けて亀裂が生じるというケースがあった。
【０００９】
本発明の目的は、定着フランジとの摺擦による定着スリーブ端部の亀裂発生を防止し、定着装置の更なる長寿命化を図ることである。
【課題を解決するための手段】
【００１０】
上記目的を達成するための本発明の代表的な構成は、フィルム状の回転体と、前記回転体を案内するガイド部材と、前記ガイド部材に対して前記回転体を介して記録材を挟持搬送するニップ部を形成するバックアップ部材と、前記回転体の内面に接触し設定温度を維持するように制御され前記ニップ部内を搬送される記録材を加熱する加熱手段と、を有する加熱装置において、前記回転体は少なくともフィルム状の金属層上に弾性層を形成してなり、前記回転体の軸方向端部のうちの少なくとも一端部は前記弾性層が前記金属層よりも軸方向に突出していることを特徴とする。
【発明の効果】
【００１１】
上記本発明によれば、フィルム状の回転体の軸方向端部は金属層よりも弾性層が長く、前記回転体に軸方向（長手方向）一方への寄りが生じた場合であっても、前記回転体の軸方向端部と接触部は先ず該回転体の弾性層が接触することになる。これによって前記回転体の押圧力（寄り力）を弾性層が受け、金属層へのストレスが軽減されることになる。よって、前記回転体の軸方向端部の摺擦による亀裂発生を防止することができ、加熱装置の更なる長寿命化が可能となる。
【００１２】
また、上記構成の加熱装置において、前記回転体の軸方向端部は、回転自在に支持された規制部材によって規制されることを特徴とする。この構成によれば、寄り力が発生して回転体が軸方向一方に押し付けられた時には、前記回転体の弾性層と前記規制部材が圧接するため、より確実に前記規制部材を回転させることが可能になる。このように規制部材が確実に回転することで前記回転体の軸方向端部と前記規制部材の摺擦を軽減できる。よって、前記規制部材との摺擦による前記回転体の軸方向端部の亀裂発生を防止することができ、加熱装置の更なる長寿命化が可能となる。
【発明を実施するための最良の形態】
【００１３】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００１４】
〔第１実施形態〕
図１〜図３を用いて、本発明の第１実施形態に係る加熱装置を、像を加熱定着する加熱定着装置として備えた画像形成装置を例示して詳しく説明する。
【００１５】
（画像形成装置）
図３は、本発明の第１実施形態に係る定着装置を備えた画像形成装置の断面図である。本実施形態においては、カラーオンデマンド定着装置を採用した、フルカラー画像形成装置を例示して説明する。
【００１６】
図３に示す画像形成装置は、電子写真方式を用いて、イエロー、シアン、マゼンタ、ブラックの４色のトナー像を重ね合わせることでフルカラー画像を得る、フルカラー画像形成装置に、本実施形態における定着装置を組み込んだものである。
【００１７】
図３に示すように、本実施形態に係るカラー画像形成装置においては、各色毎に、像担持体たる感光体ドラム１Ｙ，１Ｃ，１Ｍ，１Ｋ、帯電手段たる帯電ローラ２Ｙ，２Ｃ，２Ｍ，２Ｋ、静電潜像を顕像化するための現像手段３Ｙ，３Ｃ，３Ｍ，３Ｋ、感光体ドラムのクリーニング手段４Ｙ，４Ｃ，４Ｍ，４Ｋ等をひとつにまとめたカートリッジを使用している。
【００１８】
イエロー（Ｙ）トナーを現像器に充填したイエローカートリッジ、マゼンタ（Ｍ）トナーを現像器に充填したマゼンタカートリッジ、シアン（Ｃ）トナーを現像器に充填したシアンカートリッジ、そしてブラック（Ｋ）トナーを現像器に充填したブラックカートリッジの４つのカートリッジを使用している。
【００１９】
本実施形態に係る画像形成装置においては、感光体ドラム１Ｙ，１Ｃ，１Ｍ，１Ｋに露光を行うことにより静電潜像を形成する光学系５が、上記４色のカートリッジに対応して設けられている。光学系としては、レーザー走査露光光学系を用いている。
【００２０】
光学系５より、画像データに基づいた走査光が、帯電手段２Ｙ，２Ｃ，２Ｍ，２Ｋにより一様に帯電された感光体ドラム１Ｙ，１Ｃ，１Ｍ，１Ｋ上を露光することにより、感光体ドラム１Ｙ，１Ｃ，１Ｍ，１Ｋ表面に画像に対応する静電潜像が形成される。不図示のバイアス電源より現像ローラ３Ｙ，３Ｃ，３Ｍ，３Ｋに印加される現像バイアスを、帯電電位と潜像（露光部）電位の間の適切な値に設定することで、負の極性に帯電されたトナーが、感光体ドラム１Ｙ，１Ｃ，１Ｍ，１Ｋ上の静電潜像に選択的に付着されることにより、現像が行われる。
【００２１】
感光体ドラム１Ｙ，１Ｃ，１Ｍ，１Ｋ上に現像された単色トナー画像は、該感光体ドラム１Ｙ，１Ｃ，１Ｍ，１Ｋと同期して、略等速で回転する中間転写体上へ転写される。本実施形態においては、中間転写体として、中間転写ベルト６を用いており、駆動ローラ７によって駆動され、テンションローラ８によって張架されている。中間転写ベルト６へ感光体ドラム１Ｙ，１Ｃ，１Ｍ，１Ｋ上のトナー像を転写する一次転写手段としては、一次転写ローラ９Ｙ，９Ｃ，９Ｍ，９Ｋを用いている。一次転写ローラ９Ｙ，９Ｃ，９Ｍ，９Ｋに対して、不図示のバイアス電源より、トナーと逆極性の一次転写バイアスを印加することにより、中間転写ベルト６に対してトナー像が一次転写される。
【００２２】
一次転写後、感光体ドラム１Ｙ，１Ｃ，１Ｍ，１Ｋ上に残った転写残トナーは、クリーニング手段４Ｙ，４Ｃ，４Ｍ，４Ｋにより除去される。本実施形態においては、クリーニング手段として、ウレタンブレードによるブレードクリーニングを用いている。
【００２３】
上記工程を中間転写ベルト６の回転に同調して、イエロー、マゼンタ、シアン、ブラックの各色に対して行い、中間転写ベルト６上に各色の一次転写トナー画像を順次重ねて形成していく。単色のみの画像形成（単色モード）時には、上記工程は、目的の色についてのみ行われる。
【００２４】
また、記録材供給部となる記録材カセット１０にセットされた記録材Ｐは、給送ローラ１１により給送され、レジストローラ１２により所定のタイミングで二次転写部（中間転写ベルト６と二次転写手段とのニップ部）に搬送される。
【００２５】
中間転写ベルト６上に形成された一次転写トナー像は、二次転写手段たる二次転写ローラ１３に、不図示のバイアス印加手段より印加される、トナーと逆極性のバイアスにより、記録材Ｐ上に一括転写される。また、１４は二次転写ローラ対向ローラである。
【００２６】
二次転写後、中間転写ベルト６上に残った二次転写残トナーは、中間転写ベルトクリーニング手段１５により除去される。本実施形態においては、感光体ドラムのクリーニング手段と同様、ウレタンブレードによる中間転写体クリーニングを行っている。
【００２７】
記録材Ｐ上に二次転写されたトナー画像は、加熱装置たる加熱定着装置２０を通過することで、記録材Ｐ上に溶融定着され、画像形成装置の出力画像となる。
【００２８】
（定着装置Ｆ）
図２は、本実施形態における定着装置を示す断面図である。図２に示すように、本実施形態における定着装置２０は、フィルム加熱方式の加熱定着装置であって、以下に説明する、フィルム状の回転体としての定着スリーブ２１、加熱手段としてのヒータ２２、ガイド部材としてのヒータホルダ２３、バックアップ部材としての加圧ローラ２４、入口ガイド２５、サーミスタ２６、規制部材としての定着フランジ２７（図１参照）等により構成される。
【００２９】
２１はフィルム状の回転体（円筒状の薄肉回転体）としての可撓性の金属スリーブであり、耐熱性、高熱伝導性を有するＳＵＳ（ステンレス）等の金属あるいは合金を基材として形成し、該基材としての金属層上に弾性層、離型性層を形成してなる。なお、この定着スリーブ２１の構成および製造工程については後で詳しく説明する。
【００３０】
また、２２は定着スリーブ２１の内部に設置された加熱手段としてのヒータであり、これにより記録材上の未定着トナー像を溶融、定着させる定着ニップ部Ｎの加熱を行う。
【００３１】
２３はガイド部材としてのヒータホルダであって、加熱用ヒータ２２を保持し、定着ニップ部Ｎの反対方向側への放熱を防ぐための断熱ヒータホルダである。このヒータホルダ２３は、耐熱性の高い液晶ポリマー樹脂等により形成されている。定着スリーブ２１はこのヒータホルダ２３の周りに余裕をもってルーズに外嵌され、矢印の方向に回転自在に配置されている。
【００３２】
また、定着スリーブ２１は、内部の加熱用ヒータ２２およびヒータホルダ２３に摺擦しながら回転するため、加熱用ヒータ２２およびヒータホルダ２３と定着スリーブ２１の間の摩擦抵抗を小さく抑える必要がある。このため加熱用ヒータ２２およびヒータホルダ２３の表面に耐熱性グリースを潤滑剤として少量塗布してある。これにより定着スリーブ２１はスムーズに回転することが可能となる。
【００３３】
２４はバックアップ部材としての加圧ローラであり、ステンレス製の芯金の外側に、射出成形により厚み約３[ｍｍ]のシリコーンゴム層を形成し、その上に厚み約４０[μｍ]のＰＦＡ樹脂チューブを被覆してなる。この加圧ローラ２４は定着スリーブ２１との間に記録材を挟持搬送する定着ニップ部Ｎを形成している。
【００３４】
２５は入口ガイドであり、二次転写部を抜けた記録材Ｐが、定着ニップ部Ｎに正確に案内されるように導く役割を果たす。本実施形態の入口ガイド２５は、ポリフェニレンサルファイド（ＰＰＳ）樹脂により形成されている。
【００３５】
加圧ローラ２４、入口ガイド２５は、それぞれ定着装置２０のフレーム２９に組み付けられ、その上にヒータホルダ２３に接着されたヒータ２２を内蔵した定着スリーブ２１が配置され、不図示の加圧機構により約１９６[Ｎ]（片側９８[Ｎ]）の力で加圧されている。加圧機構は、不図示の圧解除機構を有し、ジャム処理時等に加圧を解除し、記録材Ｐの除去が容易な構成となっている。
【００３６】
サーミスタ２６は、定着スリーブ２１内面の温度を検知し、温調制御を行うために配設されている。サーミスタ２６は、ステンレス製のアーム先端にサーミスタ素子が取り付けられ、アームが揺動することにより、定着スリーブ２１内面の動きが不安定になった状態においても、サーミスタ素子が定着スリーブ２１内面に常に接する状態に保たれる。このサーミスタ２６は制御手段としてのＣＰＵ３０に接続され、ＣＰＵ３０はサーミスタ２６の出力に基づいてヒータ２２の温調制御内容を決定し、ヒータ２２への通電を制御する。
【００３７】
また、図１において、２７は定着スリーブ２１の長手位置を規制する規制部材としての定着フランジである。この定着フランジ２７に用いられる部材としては、耐熱性に優れ、比較的熱伝導性が良くなく、滑り性にも優れる材料として、ＰＰＳ、液晶ポリマー、ＰＥＴ、ＰＩ、ＰＡ、等のガラス繊維含有の樹脂が用いられている。２８は定着フランジ２７を回転可能に支持するフランジ支持部材であり、定着装置２０のフレーム２９に固定される。
【００３８】
本実施形態に係る加熱定着装置２０においては、加圧ローラ２４が回転することによって定着スリーブ２１が従動回転する。そして画像形成部にてトナー像を形成された記録材Ｐは入口ガイド２５に案内されて、定着スリーブ２１と加圧ローラ２４から形成される定着ニップ部Ｎに搬送され、加熱・加圧されることで、記録材Ｐ上の未定着トナー像を永久画像として記録材Ｐに固着させている。
【００３９】
（定着スリーブ）
図１は定着スリーブ端部周辺の断面を模式的に示した模式断面図である。定着スリーブ２１において、２１ｂは、ＳＵＳ等の金属の素管を引き抜き加工により厚さ約５０μｍのシームレスベルト状に形成した金属層としての金属ベルト部（ＳＵＳベルト部）である。２１ａは、前記ＳＵＳベルト部２１ｂの表面に接着した弾性層としてのシリコーンゴム部である。シリコーンゴム部２１ａには、極力熱伝導率の高い材質を用い、定着スリーブ２１の熱容量を小さくすることが、温度立上げの観点からは望ましい。なお、図示していないが、シリコーンゴム部２１ａ上に、離型性層として、厚み３０μｍのＰＦＡ樹脂チューブを被覆してなる。更には、スリーブ表面の離型性を向上し、定着スリーブ２０表面にトナーが一旦付着し、再度記録材Ｐに移動することで発生するオフセット現象を防止するために、定着スリーブ２１表面にフッ素樹脂層を設けても良い。
【００４０】
本実施形態に係る定着スリーブ２１は、前記ＳＵＳベルト部２１ｂよりも前記シリコーンゴム部２１ａが軸方向（長手方向）に突出するように、すわなちＳＵＳベルト部２１ｂよりもシリコーンゴム部２１ａが定着フランジ２７側に長くなるようにしている。
【００４１】
（定着スリーブの製法）
次にこの定着スリーブ２１の製法について説明する。ＳＵＳベルト部２１ｂにシリコーンゴム部２１ａを接着した後の定着スリーブ２１を所定の長さにカットする。このカット時にはＳＵＳベルト部２１ｂの長手方向端部に小さなバリや段差ができてしまう。このバリや段差を排除するために、カット後の定着スリーブ２１の長手方向端部をヤスリにて全周研磨する。このヤスリによる研磨では、ＳＵＳベルト部２１ｂの端部のバリや段差を落とすと共に、シリコーンゴム部２１ａの端部はヤスリとの摺擦時にも押圧力に対して端部のつぶれがあるためにＳＵＳベルト部２１ｂの端部よりも削り落とされる量が少ない。よって定着スリーブ２１の長手方向端部において、シリコーンゴム部２１ａはＳＵＳベルト部２１ｂよりも長さｔだけ定着フランジ２７側に長くすることが可能である。具体的には前記製法によってシリコーンゴム部１をＳＵＳベルト部２よりも約３０μｍ程度長くすることが可能である。
【００４２】
上記定着スリーブ２１を用いることによって、ＳＵＳベルト部２の端部が定着フランジ３と摺擦することによって生じるＳＵＳベルト端部へのストレスを軽減でき、亀裂を生じにくくすることになり、加熱装置の更なる長寿命化が可能となる。
【００４３】
例えば図１に示す断面図において、定着スリーブ２１に軸方向一方（図中左方向）の寄り力が発生した時に、定着スリーブ２１の端部が定着フランジ２７を同方向（図中左方向）へ押し付け、定着フランジ２７とフランジ支持部材２８との間に大きな摩擦力が発生しても、定着フランジ２７は摩擦抵抗の大きい定着スリーブ２１のシリコーンゴム部２１ａと接触しているため、定着フランジ２７は定着スリーブ２１に連れて回転する。その結果、定着スリーブ２１の端部と定着フランジ２７の摺擦を最小限に抑制することができる。
【００４４】
また、定着スリーブ２１が定着フランジ２７に押し付けられた時に、ＳＵＳベルト部２１ｂよりもシリコーンゴム部２１ａが先に定着フランジ２７と接触するため、ＳＵＳベルト部２１ｂと定着フランジ２７の接触力がシリコーンゴム部２１ａの弾性によって緩和される。これによってＳＵＳベルト部２１ｂの端部が定着フランジ２７と摺擦することによって生じるＳＵＳベルト部２１ｂの端部へのストレスを軽減でき、亀裂を生じにくくすることになり、加熱装置の更なる長寿命化が可能となる。
【００４５】
〔他の実施形態〕
本発明に係る定着スリーブの製法は前述した実施形態に限定されるものでなく、例えば、所定長さのＳＵＳベルト部に該ＳＵＳベルト部の長手方向の長さよりも長いシリコーンゴム部を接着することでも製造可能であり、シリコーンゴム部がＳＵＳベルト部よりも定着フランジ側に長くなる製法であればその他の製法であってもよく、同様の効果が得られる。
【００４６】
また前述した実施形態では、カラー画像形成が可能な画像形成装置を例示しているが、本発明はこれに限定されるものではなく、モノクロ画像形成が可能な画像形成装置であっても良く、該画像形成装置における定着装置に本発明を適用することにより同様の効果を得ることができる。
【００４７】
また前述した実施形態では、画像形成装置としてプリンタを例示したが、本発明はこれに限定されるものではなく、例えば複写機、ファクシミリ装置等の他の画像形成装置や、或いはこれらの機能を組み合わせた複合機等の他の画像形成装置や、記録材担持体を使用し、該記録材担持体に担持された記録材に各色のトナー像を順次重ねて転写する画像形成装置であっても良く、該画像形成装置における定着装置に本発明を適用することにより同様の効果を得ることができる。
【産業上の利用可能性】
【００４８】
本発明の像加熱装置の活用例として、プリンタ、複写機、ファクシミリ装置等の種々の画像形成装置に搭載される加熱定着装置に適用することができ、更に単体で用いることが可能な像加熱装置などにも適用することができる。また、電子写真式の画像形成装置に搭載する定着装置に限らず、静電記録式等のその他の記録方式の画像形成装置に搭載する定着装置にも適用可能である。
【図面の簡単な説明】
【００４９】
【図１】第１実施形態に係る定着スリーブ端部周辺の模式断面図である。
【図２】第１実施形態に係る定着装置の断面図である。
【図３】第１実施形態に係る定着装置を備えた画像形成装置の断面図である。
【符号の説明】
【００５０】
Ｎ    …定着ニップ部
１Ｙ，１Ｃ，１Ｍ，１Ｋ …感光体ドラム
２Ｙ，２Ｃ，２Ｍ，２Ｋ …帯電手段
３Ｙ，３Ｃ，３Ｍ，３Ｋ …現像手段
４Ｙ，４Ｃ，４Ｍ，４Ｋ …クリーニング手段
５    …光学系
６    …中間転写ベルト
７    …駆動ローラ
８    …テンションローラ
９Ｙ，９Ｃ，９Ｍ，９Ｋ …一次転写ローラ
１０  …記録材カセット
１１  …給送ローラ
１２  …レジストローラ
１３  …二次転写ローラ
１４  …二次転写ローラ対向ローラ
１５  …中間転写ベルトクリーニング手段
２０  …定着装置
２１  …定着スリーブ（フィルム状の回転体）
２１ａ …シリコーンゴム部（弾性層）
２１ｂ …ＳＵＳベルト部（金属層）
２２  …ヒータ（加熱手段）
２３  …ヒータホルダ（ガイド部材）
２４  …加圧ローラ（バックアップ部材）
２５  …入口ガイド
２６  …サーミスタ
２７  …定着フランジ（規制部材）
２８  …フランジ支持部材
２９  …フレーム
３０  …ＣＰＵ
【図１】
2005158639.tif 000003
【図２】
2005158639.tif 000004
【図３】
2005158639.tif 000005